(57)【要約】【課題】現在日時を基準として表示対象となる画像範囲を自動決定してスライドショーを開始できるようにする。【解決手段】ＣＰＵ１０１は、ワークメモリ１０３あるいは記録メディア４(撮影済み画像保存メモリ)内の撮影済み画像がその撮影日時に対応付けて記憶管理されている状態において、現在日時を基準として所定期間内に撮影された撮影済み画像をスライドショーの表示対象として選択すると共に、選択した撮影済み画像をスライドショー形式で再生表示する。【選択図】  図２
2006054736.tif 000002
【特許請求の範囲】
【請求項１】
スライドショー形式で画像を再生表示する画像再生装置であって、
撮影済み画像をその撮影日時に対応付けて記憶管理する画像記憶手段と、
現在の日時情報を取得する取得手段と、
この取得手段によって得られた現在日時を基準として所定期間内に撮影された撮影済み画像をスライドショーの表示対象として選択する選択手段と、
この選択手段によって選択された撮影済み画像をスライドショー形式で再生表示する表示手段と、
を具備したことを特徴とする画像再生装置。
【請求項２】
前記所定期間は、現在の日時から遡った期間であり、現在日時を基準として時間単位、日単位、週単位、月単位、年単位の何れかを単位とする期間である、ことを特徴とする請求項1記載の画像再生装置。
【請求項３】
コンピュータに対して、
撮影済み画像をその撮影日時に対応付けて記憶管理する機能と、
現在の日時情報を取得する機能と、
現在日時を基準として所定期間内に撮影された撮影済み画像をスライドショーの表示対象として選択する機能と、
選択された撮影済み画像をスライドショー形式で再生表示する機能と、
を実現させるためのプログラム。
【請求項４】
スライドショー形式で画像を再生表示する画像再生装置であって、
撮影済み画像をその撮影日時に対応付けて記憶管理する画像記憶手段と、
スライドショーの表示対象を撮影済み画像の中から複数選択する際に、予め決められている所定の画像数分の画像を選択する第１の選択手段と、
この第１の選択手段によって選択された各撮影済み画像の撮影日時を参照してその撮影期間を特定する特定手段と、
この特定手段によって特定された撮影期間内に含まれている各撮影済み画像をスライドショーの表示対象として選択する第２の選択手段と、
この第２の選択手段によって選択された各撮影済み画像をスライドショー形式で順次切り換え表示する表示手段と、
を具備したことを特徴とする画像再生装置。
【請求項５】
前記所定の画像数は、予め任意に設定された情報である、ことを特徴とする請求項４記載の画像再生装置。
【請求項６】
前記特定手段は、前記第１の選択手段によって選択された各撮影済み画像の撮影日時を参照してその撮影期間を特定する際に、最も新しい撮影日時と古い撮影日時によって特定された期間を時間単位、日単位、週単位、月単位、年単位の何れかを単位とすることによって撮影期間の特定を行う、
ようにしたことを特徴とする請求項４記載の画像再生装置。
【請求項７】
コンピュータに対して、
撮影済み画像をその撮影日時に対応付けて記憶管理する機能と、
スライドショーの表示対象を撮影済み画像の中から複数選択する際に、予め決められている所定の画像数分の画像を選択する機能と、
選択された各撮影済み画像の撮影日時を参照してその撮影期間を特定する機能と、
特定された撮影期間内に含まれている各撮影済み画像をスライドショーの表示対象として選択する機能と、
スライドショーの表示対象として選択された各撮影済み画像をスライドショー形式で順次切り換え表示する機能と、
を実現させるためのプログラム。
【請求項８】
スライドショー形式で画像を再生表示する画像再生装置であって、
撮影済み画像毎に、過去に再生表示された再生済み画像か未再生画像かを特定する特定手段と、
この特定手段によって未再生画像であることが特定された場合に、この未再生画像を今回のスライドショー対象画像として選択する選択手段と、
この選択手段によって選択された撮影済み画像をスライドショー形式で再生表示する表示手段と、
を具備したことを特徴とする画像再生装置。
【請求項９】
撮影済み画像に対応して過去に再生表示された画像であることを示す再生済み情報が記憶管理されている状態において、前記特定手段は、この再生済み情報の有無に基づいて再生済み画像か未再生画像かを特定する、
ようにしたことを特徴とする請求項８記載の画像再生装置。
【請求項１０】
コンピュータに対して、
撮影済み画像毎に、過去に再生表示された再生済み画像か未再生画像かを特定する機能と、
未再生画像であることが特定された場合に、この未再生画像を今回のスライドショー対象画像として選択する機能と、
選択された撮影済み画像をスライドショー形式で再生表示する機能と、
を実現させるためのプログラム。
【請求項１１】
スライドショー形式で画像を再生表示する画像再生装置であって、
撮影済み画像をその撮影日時に対応付けて記憶管理する画像記憶手段と、
主電源のオン、オフ操作に応じて電源オン期間を特定する特定手段と、
スライドショー開始時に、前記特定手段によって特定された電源オン期間内で撮影された複数の撮影済み画像を今回のスライドショーの表示対象として選択する選択手段と、
この選択手段によって選択された撮影済み画像をスライドショー形式で再生表示する表示手段と、
を具備したことを特徴とする画像再生装置。
【請求項１２】
コンピュータに対して、
撮影済み画像をその撮影日時に対応付けて記憶管理する機能と、
主電源のオン、オフ操作に応じて電源オン期間を特定する機能と、
スライドショー開始時に、前記特定手段によって特定された電源オン期間内で撮影された複数の撮影済み画像を今回のスライドショーの表示対象として選択する機能と、
選択された撮影済み画像をスライドショー形式で再生表示する機能と、
を実現させるためのプログラム。
【請求項１３】
画像再生装置本体は、画面付きデジタルカメラであり、
前記表示手段は、前記デジタルカメラ内の二次電池を充電する充電スタンドに当該カメラが接続された際に、カメラ画面にスライドショー形式で画像を再生表示する、
ようにしたことを特徴とする請求項1、４、８、１１のうち、その何れか記載の画像再生装置。
【請求項１４】
カメラ本体が充電スタンドに接続された際に、その接続状態に基づいてカメラ画面が前向きの状態で接続されたか否かを判別する判別手段を設け、
この判別手段によってカメラ画面が前向きの状態で接続されたことが判別された際に、撮影済み画像の中から再生対象として選択された画像をスライドショー形式でカメラ画面に逐次切り換え表示する、
ようにしたことを特徴とする請求項1３記載の画像再生装置。
【発明の詳細な説明】
【技術分野】
【０００１】
この発明は、スライドショー形式で画像を再生表示する画像再生装置およびプログラムに関する。
【背景技術】
【０００２】
一般に、デジタルカメラにおいては、撮影モードで撮影した各撮影済み画像を再生モードに切り換えることによって１枚ずつ画像送りを指示しながら確認したり、複数の撮影済み画像をスライドショー形式で表示(画像の自動送りによって再生表示)するものとしては、たとえば、カメラを商用電源駆動時に所定時間操作が無いことを条件にスライドショーを開始するようにした電子スチルカメラ用スクリーンセーバが知られている（特許文献１参照）。また、二次電池を充電する充電器に接続可能なデジタルカメラとしては、たとえば、カメラ本体が充電器にセットされたか否かを検出し、カメラ本体が充電器にセットされた際に、スライドショー形式で画像を再生表示するようにした情報再生装置が知られている（特許文献２参照）。
【特許文献１】特開平１１−３１３２２９号公報
【特許文献２】特開平２０００−３３３０４６号公報
【発明の開示】
【発明が解決しようとする課題】
【０００３】
しかしながら、従来のスライドショーでは、何れにおいても撮影済みの全画像を表示対象としたり、特定フォルダ内の画像のみ表示対象とするなど、表示対象となる画像範囲は、一義的に決まってしまう。
ところで、スライドショーで撮影済み画像を確認する際に、ユーザは、色々な要望があるはずであるが、従来の何れのスライドショーでもユーザの要望に答えることはできず、多数の画像を順次切り換え表示させながら一枚一枚慎重に確認しなければならず、ユーザに大きな負担をかけると共に、見落としなどのおそれもあり、しかも、不必要な画像のスライドショーによってユーザに迷惑をかけたり、目的画像を効率良く確認することができない等の問題があった。
【０００４】
第１の発明の課題は、現在日時を基準として表示対象となる画像範囲を自動決定してスライドショーを開始できるようにすることである。
第２の発明の課題は、予め決められている画像枚数を基準として動的に特定された撮影期間内での撮影済み画像を表示対象として自動決定してスライドショーを開始できるようにすることである。
第３の発明の課題は、過去に未再生の画像を表示対象として自動決定してスライドショーを開始できるようにすることである。
第４の発明の課題は、電源オン期間内に撮影された画像を表示対象として自動決定してスライドショーを開始できるようにすることである。
【課題を解決するための手段】
【０００５】
請求項１記載の発明（第１の発明）は、スライドショー形式で画像を再生表示する画像再生装置であって、撮影済み画像をその撮影日時に対応付けて記憶管理する画像記憶手段と、現在の日時情報を取得する取得手段と、この取得手段によって得られた現在日時を基準として所定期間内に撮影された撮影済み画像をスライドショーの表示対象として選択する選択手段と、この選択手段によって選択された撮影済み画像をスライドショー形式で再生表示する表示手段とを具備したことを特徴とする。
さらに、コンピュータに対して、上述した請求項１記載の発明に示した主要機能を実現させるためのプログラムを提供する（請求項３記載の発明）。
なお、「スライドショー形式」とは、複数の画像(動画あるいは静止画)を順次切り換えながら再生表示する以外にも、１つの画像(動画あるいは静止画)を再生表示する場合も含み、さらには、画像の自動送りのほかに、マニュアル操作によって画像を切り換えてもよい。したがって、広義には単なる画像の再生表示と同義である(以下、同様)。
【０００６】
なお、請求項１記載の発明において、前記所定期間は、現在の日時から遡った期間であり、現在日時を基準として時間単位、日単位、週単位、月単位、年単位の何れかを単位とする期間であってよい（請求項２記載の発明）。
また、画像再生装置本体は、表示画面付きのデジタルカメラであり、前記表示手段は、前記デジタルカメラ内の二次電池を充電する充電スタンドに当該カメラが接続された際に、カメラ画面にスライドショー形式で画像を再生表示するようにしてもよい（請求項１３記載の発明）。また、カメラ本体が充電スタンドに接続された際に、その接続状態に基づいてカメラ画面が前向きの状態で接続されたか否かを判別する判別手段を設け、この判別手段によってカメラ画面が前向きの状態で接続されたことが判別された際に、撮影済み画像の中から再生対象として選択された画像をスライドショー形式でカメラ画面に逐次切り換え表示するようにしてもよい（請求項１４記載の発明）。
【０００７】
請求項４記載の発明（第２の発明）は、スライドショー形式で画像を再生表示する画像再生装置であって、撮影済み画像をその撮影日時に対応付けて記憶管理する画像記憶手段と、スライドショーの表示対象を撮影済み画像の中から複数選択する際に、予め決められている所定の画像数分の画像を選択する第１の選択手段と、この第１の選択手段によって選択された各撮影済み画像の撮影日時を参照してその撮影期間を特定する特定手段と、この特定手段によって特定された撮影期間内に含まれている各撮影済み画像をスライドショーの表示対象として選択する第２の選択手段と、この第２の選択手段によって選択された各撮影済み画像をスライドショー形式で順次切り換え表示する表示手段とを具備したことを特徴とする。
さらに、コンピュータに対して、上述した請求項４記載の発明に示した主要機能を実現させるためのプログラムを提供する（請求項７記載の発明）。
【０００８】
なお、請求項４記載の発明において、前記所定の画像数は、予め任意に設定された情報であってもよく（請求項５記載の発明）、また、前記特定手段は、前記第１の選択手段によって選択された各撮影済み画像の撮影日時を参照してその撮影期間を特定する際に、最も新しい撮影日時と古い撮影日時によって特定された期間を時間単位、日単位、週単位、月単位、年単位の何れかを単位とすることによって撮影期間の特定を行うようにしてもよい（請求項６記載の発明）。また、請求項４記載の発明は、上述した請求項１３および１４記載の発明であってもよい。
【０００９】
請求項８記載の発明（第３の発明）は、スライドショー形式で画像を再生表示する画像再生装置であって、撮影済み画像毎に、過去に再生表示された再生済み画像か未再生画像かを特定する特定手段と、この特定手段によって未再生画像であることが特定された場合に、この未再生画像を今回のスライドショー対象画像として選択する選択手段と、この選択手段によって選択された撮影済み画像をスライドショー形式で再生表示する表示手段とを具備したことを特徴とする
さらに、コンピュータに対して、上述した請求項８記載の発明に示した主要機能を実現させるためのプログラムを提供する（請求項１０記載の発明）。
【００１０】
撮影済み画像に対応して過去に再生表示された画像であることを示す再生済み情報が記憶管理されている状態において、前記特定手段は、この再生済み情報の有無に基づいて再生済み画像か未再生画像かを特定するようにしてもよい（請求項９記載の発明）。
さらに、請求項８記載の発明は、上述した請求項１３および１４記載の発明であってもよい。
【００１１】
請求項１１記載の発明（第４の発明）は、スライドショー形式で画像を再生表示する画像再生装置であって、撮影済み画像をその撮影日時に対応付けて記憶管理する画像記憶手段と、主電源のオン、オフ操作に応じて電源オン期間を特定する特定手段と、スライドショー開始時に、前記特定手段によって特定された電源オン期間内で撮影された複数の撮影済み画像を今回のスライドショーの表示対象として選択する選択手段と、この選択手段によって選択された撮影済み画像をスライドショー形式で再生表示する表示手段とを具備したことを特徴とする。
さらに、コンピュータに対して、上述した請求項１１記載の発明に示した主要機能を実現させるためのプログラムを提供する（請求項１２記載の発明）。
なお、請求項１１記載の発明は、上述した請求項１３および１４記載の発明であってもよい。
【発明の効果】
【００１２】
請求項１記載の発明（第１の発明）によれば、撮影済み画像がその撮影日時に対応付けられて記憶管理されている状態において、現在日時を基準として所定期間内に撮影された撮影済み画像をスライドショーの表示対象として選択すると共に、選択した撮影済み画像をスライドショー形式で再生表示するようにしたから、ユーザに特別な操作を要求することなく、現在日時を基準として表示対象となる画像範囲を自動的に絞り込むことができ、現在日時から遡った所定期間内で撮影された撮影済み画像をスライドショー形式で再生表示することが可能となり、直前の期間内に撮影された画像を確認することが可能となる。
【００１３】
この場合、所定期間は、現在の日時から遡った期間であり、現在日時を基準として時間単位、日単位、週単位、月単位、年単位の何れかを単位とする期間であるから(請求項２記載の発明)、たとえば、スライドショーの表示対象となる画像範囲を現在時間帯、現在日、現在週、現在月などのように自動決定することができる。
【００１４】
さらに、画像再生装置本体を表示画面付きのデジタルカメラとした場合に、このカメラ内の二次電池を充電する充電スタンドにカメラが接続された際に、カメラ画面にスライドショー形式で画像を再生表示するようにしたから（請求項１３記載の発明）、電池の消耗を気にせず、充電スタンドをフォトスタンドのように利用しながらスライドショーを見ることができる。また、カメラ本体が充電スタンドに接続された際に、カメラ画面が前向きの状態で接続された場合には、撮影済み画像の中から再生対象として選択された画像をスライドショー形式でカメラ画面に逐次切り換え表示するようにしたから（請求項１４記載の発明）、カメラ本体を充電スタンドに接続した際にカメラ画面の向きをチェックする機能を追加するだけで、スライドショー形式の画像再生動作を制御することができ、ユーザに特別な操作を要求することなく、スライドショー形式の画像再生を開始することができ、ユーザが意図する通りの画像再生が可能であると共に、ユーザと対面するカメラ画面の向きを「前向き」とすれば、充電スタンドの向きを変えることなく、カメラ本体を充電スタンドにセットした状態で再生画像を見ることが可能となる。
【００１５】
請求項４記載の発明（第２の発明）によれば、撮影済み画像がその撮影日時に対応付けられて記憶管理されている状態において、スライドショーの表示対象を撮影済み画像の中から複数選択する際に、予め決められている所定の画像数分の画像を選択すると共に、選択した各撮影済み画像の撮影日時を参照してその撮影期間を特定し、この撮影期間内に含まれている各撮影済み画像をスライドショーの表示対象として選択してスライドショー形式で順次切り換え表示するようにしたから、ユーザに特別な操作を要求することなく、予め決められている画像枚数を基準として動的に特定された撮影期間内での撮影済み画像を表示対象として自動決定してスライドショーを開始することができると共に、画像枚数を基準に表示対象を選択したとしても、期間を単位として表示対象を自動決定することができる。
【００１６】
この場合、所定の画像数を予め任意に設定するようにすれば（請求項５記載の発明）、スライドショーの表示対象となる画像範囲を任意に変更することができ、ユーザの要望に答えることが可能となる。また、選択された各撮影済み画像の撮影日時を参照してその撮影期間を特定する際に、最も新しい撮影日時と古い撮影日時によって特定された期間を時間単位、日単位、週単位、月単位、年単位の何れかを単位とすることによって撮影期間の特定を行うようにすれば（請求項６記載の発明）、撮影期間を時間単位、日単位、週単位、月単位、年単位で特定することができる。この場合、たとえば、所定の画像数が１０枚である場合に、選択された１０枚分の全てが当日に撮影されたものであれば、日単位の撮影期間が特定されるが、当日撮影された全画像が２０枚であれば、この２０枚分の画像がスライドショーの表示対象として自動決定される。同様に、選択された１０枚分の全てが１時間以内に撮影されたものであれば、時単位の撮影期間が特定されるが、１時間以内に撮影された全画像が２０枚であれば、この２０枚分の画像がスライドショーの表示対象として自動決定される。さらに、請求項４記載の発明においても、上述した請求項１３および１４記載の発明と同様の効果を有する。
【００１７】
請求項８記載の発明（第３の発明）によれば、撮影済み画像毎に過去に再生表示された再生済み画像か未再生画像かを特定し、未再生画像であれば、この未再生画像を今回のスライドショー対象画像として選択すると共に、この撮影済み画像をスライドショー形式で再生表示するようにしたから、ユーザに特別な操作を要求することなく、過去に未再生の画像を表示対象として自動決定してスライドショーを開始することができると共に、同一画像の重複再生を防止することができる。
【００１８】
この場合、撮影済み画像に対応して過去に再生表示された画像であることを示す再生済み情報が記憶管理されている状態において、この再生済み情報の有無に基づいて再生済み画像か未再生画像かを特定するようにすれば(請求項９記載の発明)、再生済み画像か未再生画像かを容易に特定することが可能となる。
なお、請求項８記載の発明においても、上述した請求項１３および１４記載の発明と同様の効果を有する。
【００１９】
請求項１１記載の発明（第４の発明）によれば、撮影済み画像がその撮影日時に対応付けて記憶管理されている状態において、主電源のオン、オフ操作に応じて電源オン期間を特定すると共に、スライドショー開始時に、この電源オン期間内で撮影された複数の撮影済み画像を今回のスライドショーの表示対象として選択し、この撮影済み画像をスライドショー形式で再生表示するようにしたから、ユーザに特別な操作を要求することなく、電源オン期間内に撮影された画像を表示対象として自動決定してスライドショーを開始することができる。ここで、電源オン期間は、前回、電源がオンされてからオフされるまでの期間であってもよい。
なお、請求項１１記載の発明においても、上述した請求項１３および１４記載の発明と同様の効果を有する。
【発明を実施するための最良の形態】
【００２０】
（実施例１）
以下、図１〜図４を参照して本発明の第１実施例を説明する。
図１は、この実施例におけるデジタルカメラおよび充電スタンドの外観斜視図であり、カメラ本体１が充電スタンド２に接続された際にその接続状態に基づいてカメラ画面１１が前向きの状態で接続されたか否かをチェックするために用いられるコネクタ部分を示した図である。
このデジタルカメラは、二次電池を主電源とすると共に、この二次電池を充電する充電スタンド２に接続可能な携帯型のスチルカメラであり、静止画撮影に限らず、動画撮影も可能なもので、カメラ本体１の表裏両面においてカメラ画面１１は撮影レンズ１２の反対側に設けられている。ここで、カメラ本体１の向きを次ぎのように定義する。すなわち、カメラ本体１を充電スタンド２に接続した状態において、撮影レンズ１２が正面となり、カメラ画面１１が背面となる場合を「後ろ向き：裏面」と定義し、逆に、カメラ画面１１が正面となり、撮影レンズ１２が背面となる場合を「前向き：表面」と定義する。つまり、カメラ画面１１を基準として、ユーザとカメラ画面１１とが対面するか否かに基づいてカメラ本体１の向きが定義され、図１(Ａ)に場合には、「後ろ向き」となり、図１(Ｂ)の場合には、「前向き」となる。
【００２１】
カメラ本体１の下面中央部には充電用端子(＋端子、−端子)１３が設けられ、その下面一端部には、表裏検出用穴１４が設けられ、また、下面他端部には、表裏検出用穴１４と同一の形状を持つダミー用の穴１５が設けられている。他方、充電スタンド２の上面中央部には、充電用端子(−端子、＋端子、−端子)２１が設けられ、その上面一端部には、表裏検出用ピン２２が設けられている。この場合、充電スタンド２側の充電用端子２１は、カメラ本体１が前向き、後ろ向きの何れの状態でも接続可能とするために２本の−端子を有する構成となっている。充電スタンド２側の表裏検出用ピン２２は、カメラ本体１が「後ろ向き」に接続された際に、カメラ本体１のダミー穴１５が挿入されるが、「前向き」に接続された際に、カメラ本体１の表裏検出用穴１４に挿入される。ここで、表裏検出用ピン２２が表裏検出用穴１４に挿入されると、表裏検出用穴１４内に設けた検出用スイッチ(図示せず)を押圧して当該スイッチをオンさせてカメラ本体１が前向きにセットされたことを示す検出信号を出力させるが、表裏検出用ピン２２がダミー穴１５に挿入されても、当該検出用スイッチはオフ状態のままとなる。
【００２２】
図２は、デジタルカメラの基本的な構成要素を示したブロック図である。
ＣＰＵ１０１は、記憶部１０２内のオペレーティングシステム、各種アプリケーションソフトに応じてこのデジタルスチルカメラの全体動作を制御する中央演算処理装置である。記憶部１０２は、ハードディスク等の固定的なメモリであり、プログラム記憶領域とデータ記憶領域とを有している。この記憶部１０２内のプログラム記憶領域には、後述する図４に示す動作手順で本実施例の動作を実現するためのアプリケーションプログラムが格納されている。このプログラム、データは、必要に応じてワークメモリ１０３にロードされたり、このワークメモリ１０３内のデータが記憶部１０２にセーブされる。なお、記録メディア１０４は、ＤＶＤ等の着脱自在なメモリであり、記憶部１０２、ワークメモリ１０３との間においてプログラム、画像データ等の授受を行う。
【００２３】
一方、ＣＰＵ１０１には、その入出力周辺デバイスである操作部１０５、表示部１０６、カメラ撮影部１０７がバスラインを介して接続されており、入出力プログラムに応じてＣＰＵ１０１は、これらの入出力デバイスの動作制御を行う。充電コネクタ部１０８は、上述した充電用端子(＋端子、−端子)１３、表裏検出用穴１４、検出用スイッチ(図示せず)を構成するもので、充電スタンド２からの充電電流を二次電池１０９に供給するほか、検出用スイッチのオン／オフ信号をＣＰＵ１０１に与える。操作部１０５は、シャッターボタンＳＴ、ズームボタンＷＤのほか、撮影モード／再生モードに切り換えるモードボタンＭＤ等、各種のファンクションボタンを有し、その操作信号はＣＰＵ１０１に与えられる。ここで、通常と同様、「撮影モード」は、撮影画像を取得して記録保存する動作モードであり、「再生モード」は、記録保存されている撮影画像を読み出してカメラ画面１１に再生出力させる動作モードである。
【００２４】
この「再生モード」に切り換えられている状態において、ＣＰＵ１０1は、画像送りボタンが操作される毎に、１枚ずつ画像を読み出してカメラ画面１１に再生出力させるほか、カメラ本体１が充電スタンド２に接続された際に、一定の条件下でスライドショー形式で画像をカメラ画面１１に再生出力させるようになっている。この場合、撮影済み画像がその撮影日時に対応付けて記憶管理されている状態において、現在日時を基準として所定期間(現在時間帯、現在日、現在月、先月)内に撮影された撮影済み画像をスライドショーの表示対象として選択すると共に、選択した撮影済み画像をスライドショー形式で再生表示するようにしている。表示部１０６は、カメラ画面１１を構成するもので、たとえば、タッチパネル付きの液晶表示部であり、モニタ画面／ファインダ画面／画像再生画面として使用される。
【００２５】
カメラ撮影部１０７は、撮影レンズ、ミラー等のレンズ・ミラーブロック、ＣＣＤイメージセンサ等の撮像素子、その駆動系等を備えたもので、ＣＰＵ１０１は、光学ズーム機能を調整制御したり、オートフォーカス時の駆動制御、シャッター駆動制御、露出、ホワイトバランス等を制御する。画像メモリ１１０内の撮影画像は、１画像毎に画像ファイルとして内部メモリであるワークメモリ１０３あるいは外部メモリである記録メディア４に記録保存されるが、その際、このファイル名として「撮影日時」を付加して保存するようにしている。
【００２６】
図３は、充電スタンド２の基本構成を示したブロック図である。
充電スタンド２は、充電専用のクレードル(スタンド型拡張機器)で、通常と同様に、ＡＣ電源に接続される充電器(充電回路部分)２３と充電コネクタ部２４とを有する構成で、充電コネクタ部２４には、上述した充電用端子(−端子、＋端子、−端子)２１、表裏検出用ピン２２が設けられている。なお、充電スタンド２は、たとえば、カメラ本体１の二次電池１０９を約３時間でフル充電するもので、充電中、充電完了などを報知するランプ(図示せず)が設けられている。
【００２７】
次ぎに、この第１実施例におけるデジタルカメラの動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２８】
図４は、カメラ本体１が充電スタンド２に接続された際に、充電スタンド２からの充電電流の供給に伴って実行開始されるカメラ本体１側の動作を示したフローチャートである。
先ず、ＣＰＵ１０１は、充電スタンド２からの充電電流を検出すると、つまり、充電スタンド２にカメラ本体１を接続すると、カメラ側の充電コネクタ部１０８と充電スタンド２側の充電コネクタ部２４との接続状態を検出する(ステップＡ１)。この場合、カメラ本体１に充電スタンド２を接続した際、カメラ本体１の向きに応じて充電スタンド２側の表裏検出用ピン２２がカメラ本体１のダミー穴１５あるいは表裏検出用穴１４に挿入されるが、この表裏検出用ピン２２が表裏検出用穴１４に挿入された場合には、表裏検出用穴１４内の検出用スイッチがオンされ、表裏検出用ピン２２がダミー穴１５に挿入された場合には、当該検出信号はオフのままとなるため、ＣＰＵ１０1は、この検出信号のオン／オフ状態に基づいてカメラ本体１が「後ろ向き」に接続されているか、「前向き」に接続されているかを判別する(ステップＡ２)。
【００２９】
ここで、カメラ本体１が「後ろ向き」に接続されている場合には、ステップＡ９に移ってカメラ電源がオンされているかをチェックし、カメラ電源がオンされていれば、カメラ電源を強制的にオフさせる(ステップＡ１０)。この場合、二次電池１０９がフル充電されるまで充電が継続される。一方、カメラ本体１が「前向き」に接続されている場合に(ステップＡ２でＹＥＳ)、ＣＰＵ１０1は、時計部(図示せず)から現在日時を取得すると共に(ステップＡ３)、 ワークメモリ１０３あるいは記録メディア４(以下、撮影済み画像保存メモリと呼称する)をアクセスし、各撮影済み画の撮影日時、現在時刻に基づいて現在時間帯(たとえば、現時点から６時間前までの時間帯)内に撮影された画像を検索する(ステップＡ４)。
【００３０】
この結果、該当する画像が複数枚(２枚以上)検索されたか否かをチェックし(ステップＡ５)、現在時間帯内に撮影された画像が２枚以上存在していれば (ステップＡ５でＹＥＳ)、スライドショーを開始し、この各画像をスライドショーの表示対象として選択して(ステップＡ６)、予め任意に設定されている一定時間間隔(たとえば、２０秒間隔)で順次切り換え表示させる(ステップＡ７)。この場合、スライドショーは、全ての画像を表示し終わるまで(ステップＡ８でＹＥＳ)、１画像毎に切り換え表示される。そして、スライドショーが終了すると(ステップＡ８でＹＥＳ)、カメラ電源がオンされていれば(ステップＡ９でＹＥＳ)、カメラ電源を強制的にオフさせる(ステップＡ１０)。なお、この実施例においては、カメラ電源がオフ状態であっても、充電スタンド２からの供給電圧を電源としてスライドショーを実行することができ、カメラ電源がオンされているか、オフされているかに拘らず、スライドショーを実行可能としている。
【００３１】
また、現在時間帯内に撮影された画像が２枚以上存在していなければ(ステップＡ５でＮＯ)、再び画像保存メモリをアクセスし、各撮影済み画の撮影日時、現在日に基づいて現在日(当日)に撮影された画像を検索する(ステップＡ１１)。この結果、当日撮影の画像数が複数枚(２枚以上)検索されたか否かをチェックし(ステップＡ１２)、２枚以上の画像有れば、上述と同様に、この各画像をスライドショーの表示対象として選択して(ステップＡ６)、一定時間間隔で順次切り換え表示させる(ステップＡ７)。
【００３２】
上述のステップＡ１２で現在日に撮影された画像が２枚以上存在していないことが判別された場合には、再び画像保存メモリをアクセスし、各撮影済み画の撮影日時、現在月(当月)に基づいて当月に撮影された画像を検索する(ステップＡ１３)。この結果、当月撮影の画像数が複数枚(２枚以上)検索されたか否かをチェックし(ステップＡ１４)、２枚以上の画像有れば、上述と同様に、この各画像をスライドショーの表示対象として選択して(ステップＡ６)、一定時間間隔で順次切り換え表示させる(ステップＡ７)。
【００３３】
上述のステップＡ１４で現在月に撮影された画像が２枚以上存在していないことが判別された場合には、再び画像保存メモリをアクセスし、各撮影済み画の撮影日時、現在月に基づいてその前の月(たとえば、先月、先先月)に撮影された画像を検索する(ステップＡ１５)。この結果、以前の月に撮影の画像数が複数枚(２枚以上)検索されたか否かをチェックし(ステップＡ１６)、２枚以上の画像が検索されるまでステップＡ１５に戻り、画像検索を繰り返す。これによって２枚以上の画像が検索された場合には、上述と同様に、この各画像をスライドショーの表示対象として選択して(ステップＡ６)、一定時間間隔で順次切り換え表示させる(ステップＡ７)。
【００３４】
以上のように、この第１実施例においてＣＰＵ１０１は、ワークメモリ１０３あるいは記録メディア４(撮影済み画像保存メモリ)内の撮影済み画像がその撮影日時に対応付けて記憶管理されている状態において、現在日時を基準として所定期間内に撮影された撮影済み画像をスライドショーの表示対象として選択すると共に、選択した撮影済み画像をスライドショー形式で再生表示するようにしたから、ユーザに特別な操作を要求することなく、現在日時を基準として表示対象となる画像範囲を自動的に絞り込むことができ、現在日時から遡った所定期間内で撮影された撮影済み画像をスライドショー形式で再生表示することが可能となり、直前の期間内に撮影された画像を確認することが可能となる。
【００３５】
この場合、現在時間帯、現在日、現在週、現在月、前の月の何れかを所定期間とするようにしたから、スライドショーの表示対象となる画像範囲を当日撮影分あるいは当月撮影分などのように自動決定することができる。
また、カメラ本体１を充電スタンドに接続した際に、カメラ画面１１にスライドショー形式で画像を再生表示するようにしたから電池の消耗を気にせず、充電スタンドをフォトスタンドのように利用しながらスライドショーを見ることができる。
【００３６】
なお、上述した第１実施例においては、現在日時を基準として検索された画像が２枚以上存在している期間を現在時間帯、現在日、現在週、現在月、先月の順位で特定するようにしたが、現在時間帯、前の時間帯、現在日、前の日、現在週、前の週、現在月、前の月、現在年、前の年のうち、少なくともその何れかの期間を特定するようにしてもよい。また、画像枚数を５枚以上としてもよく、任意であると共に、期間は、ユーザによって任意に設定された期間であってもよい。
【００３７】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、撮影済み画像をその撮影日時に対応付けて記憶管理する機能と、現在の日時情報を取得する機能と、現在日時を基準として所定期間内に撮影された撮影済み画像をスライドショーの表示対象として選択する機能と、選択された撮影済み画像をスライドショー形式で再生表示する機能とを実現させるためのプログラムを記録したコンピュータが読み取り可能な記録媒体を提供するようにしてもよい。
（実施例２）
【００３８】
以下、この発明の第２実施例について図５を参照して説明する。
なお、上述した第１実施例においては、現在日時を基準として表示対象となる画像範囲を自動決定してスライドショーを開始するようにしたが、この第２実施例においては、予め決められている画像枚数を基準として動的に特定された撮影期間内での撮影済み画像を表示対象として自動決定してスライドショーを開始するようにしたものである。ここで、撮影期間を動的に特定するための画像枚数は、固定値でもよいが、この第２実施例においては、ユーザによってデフォルト値を任意に設定変更されたものである。
ここで、両実施例において基本的あるいは名称的に同一のものは、同一符号を付して示し、その説明を省略すると共に、以下、第２実施例の特徴部分を中心に説明するものとする。
【００３９】
図５は、第２実施例において、カメラ本体１が充電スタンド２に接続された際に、充電スタンド２からの充電電流の供給に伴って実行開始されるカメラ本体１側の動作を示したフローチャートである。
先ず、充電スタンド２にカメラ本体１を接続すると、ＣＰＵ１０１は、上述した第１実施例と同様に、その接続状態に基づいてカメラ本体１の向きを判別し(ステップＢ１、Ｂ２)、「後ろ向き」であれば、ステップＢ１８に移り、カメラ電源がオンされていればカメラ電源を強制的にオフさせるが(ステップＢ１９)、カメラ本体１が「前向き」に接続されていれば(ステップＢ２でＹＥＳ)、予め設定されている「画像枚数：たとえば、１０枚」を読み出すと共に(ステップＢ３)、ワークメモリ１０３あるいは記録メディア４(撮影済み画像保存メモリ)内の撮影済み画像数をカウントし(ステップＢ４)、このカウント値は、画像枚数の１０枚以上かを判別する(ステップＢ５)。
【００４０】
ここで、カウント値が１０枚未満の場合には(ステップＢ５でＮＯ)、カメラ電源がオンされていれば(ステップＢ１８)、カメラ電源を強制的にオフさせるが(ステップＢ１９)、カウント値が１０枚以上であれば、撮影済み画像保存メモリから日時順(新しい順)に１０枚の画像を抽出すると共に(ステップＢ６)、各抽出画像の撮影日時を参照して同一の日付に撮影されたものかをチェックする(ステップＢ７)。ここで、全ての抽出画像が同一日に撮影されたものであれば、さらに、同一時間帯(たとえば、１時間単位)に撮影されたかをチェックする(ステップＢ８)。この結果、全ての抽出画像が同一時間帯に撮影されたものであれば(ステップＢ８でＹＥＳ)、この時間帯を撮影期間として特定し(ステップＢ９)、この撮影期間をキーとして撮影済み画像保存メモリを検索し、当該撮影期間内に撮影された全ての画像を再抽出する(ステップＢ１０)。この場合、抽出画像の全てが同一時間帯(１時間以内)に撮影されたものであれば、時単位の撮影期間が特定されるが、その際、１時間以内に撮影された全画像が２０枚であれば、この２０枚分の画像が再抽出される。
【００４１】
また、全ての抽出画像が同一日に撮影されたものであっても、同一時間帯に撮影されたものでなければ(ステップＢ８でＮＯ)、この当該日付を撮影期間として特定し(ステップＢ１１)、この撮影期間をキーとして撮影済み画像保存メモリを検索し、当該撮影期間内に撮影された全ての画像を再抽出する(ステップＢ１２)。この場合、抽出画像の全てが当日に撮影されたものであれば、日単位の撮影期間が特定されるが、その際、当日撮影された全画像が２０枚であれば、この２０枚分の画像が再抽出される。
【００４２】
一方、各抽出画像が同一日に撮影されたものでなければ(ステップＢ７でＮＯ)、各抽出画像の撮影日時を参照し、最も新しい撮影日時と古い撮影日時によって特定された日付の範囲を撮影期間として特定し(ステップＢ１３)、この撮影期間をキーとして撮影済み画像保存メモリを検索し、当該撮影期間内に撮影された全ての画像を再抽出する(ステップＢ１４)。この場合、最も新しい撮影日が３日前で最も古い撮影日が８前であれば、５日間が撮影期間として特定されるが、この間に撮影された全画像が２０枚であれば、この２０枚分の画像が再抽出される。
【００４３】
このようにして再抽出された各画像をスライドショーの表示対象として決定して(ステップＢ１５)、スライドショーを開始し、各画像を予め任意に設定されている一定時間間隔で順次切り換え表示させる(ステップＢ１６)。この場合、スライドショーは、全ての画像を表示し終わるまで(ステップＢ１７でＹＥＳ)、１画像毎に切り換え表示される。そして、スライドショーが終了すると(ステップＢ１７でＹＥＳ)、カメラ電源がオンされていれば(ステップＢ１８でＹＥＳ)、カメラ電源を強制的にオフさせる(ステップＢ１９)。
【００４４】
以上のように、この第２実施例においてＣＰＵ１０１は、撮影済み画像がその撮影日時に対応付けて記憶管理されている状態において、スライドショーの表示対象を撮影済み画像の中から複数選択する際に、予め決められている所定の画像数分の画像を選択すると共に、選択した各撮影済み画像の撮影日時を参照してその撮影期間を特定し、この撮影期間内に含まれている各撮影済み画像をスライドショーの表示対象として選択してスライドショー形式で順次切り換え表示するようにしたから、ユーザに特別な操作を要求することなく、予め決められている画像枚数を基準として動的に特定された撮影期間内での撮影済み画像を表示対象として自動決定してスライドショーを開始することができる。
【００４５】
この場合、所定の画像数を予め任意に設定するようにしたからスライドショーの表示対象となる画像範囲を任意に変更することができ、ユーザの要望に答えることが可能となる。また、選択された各撮影済み画像の撮影日時を参照してその撮影期間を特定する際に、最も新しい撮影日時と古い撮影日時によって特定された期間を時間単位、日単位とすることによって撮影期間の特定を行うようにしたから、撮影期間を時間単位、日単位で特定することができる。さらに、カメラ本体１を充電スタンドに接続した際に、カメラ画面１１にスライドショー形式で画像を再生表示するようにしたから電池の消耗を気にせず、充電スタンドをフォトスタンドのように利用しながらスライドショーを見ることができる。
【００４６】
なお、上述した第２実施例においては、撮影期間を時間単位、日単位で特定するようにしたが、記録保存されている撮影済み画像数にもよるが、週単位、月単位、年単位で特定するようにしてもよい。また、撮影期間は、上述した第１実施例と基本的には同様に、現在時間帯、現在日、現在週などであってもよい。すなわち、最も新しい撮影日時と古い撮影日時によって特定された期間を現在時間帯、現在日、現在週などとしてもよい。
【００４７】
また、コンピュータが読み取り可能なプログラムコードを有する記録媒体であって、撮影済み画像をその撮影日時に対応付けて記憶管理する機能と、スライドショーの表示対象を撮影済み画像の中から複数選択する際に、予め決められている所定の画像数分の画像を選択する機能と、選択された各撮影済み画像の撮影日時を参照してその撮影期間を特定する機能と、特定された撮影期間内に含まれている各撮影済み画像をスライドショーの表示対象として選択する機能と、スライドショーの表示対象として選択された各撮影済み画像をスライドショー形式で順次切り換え表示する機能とを実現させるためのプログラムを記録したコンピュータが読み取り可能な記録媒体を提供するようにしてもよい。
（実施例３）
【００４８】
以下、この発明の第３実施例について図６を参照して説明する。
なお、上述した第１実施例においては、現在日時を基準として表示対象となる画像範囲を自動決定してスライドショーを開始するようにしたが、この第３実施例においては、過去に未再生の画像を表示対象として自動決定してスライドショーを開始するようにしたものである。
ここで、第１、第３実施例において基本的あるいは名称的に同一のものは、同一符号を付して示し、その説明を省略すると共に、以下、第３実施例の特徴部分を中心に説明するものとする。
【００４９】
図６は、第３実施例において、カメラ本体１が充電スタンド２に接続された際に、充電スタンド２からの充電電流の供給に伴って実行開始されるカメラ本体１側の動作を示したフローチャートである。
この第３実施例においては、ワークメモリ１０３あるいは記録メディア４(撮影済み画像保存メモリ)内に記録保存されている撮影済み画像に対応して、その画像が過去に１度でも個別再生あるいはスライドショー再生が行われた場合には、当該画像に対応して再生出力済みであることを示す再生済みフラグがセットされているものとする。
先ず、充電スタンド２にカメラ本体１を接続すると、ＣＰＵ１０１は、上述した第１実施例と同様に、その接続状態に基づいてカメラ本体１の向きを判別し(ステップＣ１、Ｃ２)、「後ろ向き」であれば、ステップＣ１に移り、カメラ電源がオンされていれば、カメラ電源を強制的にオフさせるが(ステップＣ１１)、カメラ本体１が「前向き」に接続されていれば、撮影済み画像保存メモリ内の撮影済み画像を順次アクセスして、再生済みフラグがセットされていない未再生画像の検索を行う(ステップＣ３)。
【００５０】
いま、未再生画像が無ければ(ステップＣ４でＮＯ)、ステップに移るが、未再生画像が有れば、複数枚(２枚以上)の未再生画像が有るかをチェックし(ステップＣ５)、未再生画像が１枚であれば(ステップＣ５でＮＯ)、この検索画像を予め任意に設定されている設定時間が経過するまで個別再生する(ステップＣ６)。また、２枚以上の未再生画像が有れば、これらの検索画像をスライドショーの対象画像として特定すると共に(ステップＣ７)、この特定画像を順次切り換え表示させながらスライドショー再生を行う(ステップＣ８)。この場合、全画像を予め任意に設定されている所定の時間間隔毎に全て切り換え表示するまでスライドショー再生が行われる(ステップＣ８、Ｃ９)。そして、スライドショーが終了すると(ステップＣ９でＹＥＳ)、今回再生された画像に対応して再生済みフラグをセットすると共に(ステップＣ１０)、カメラ電源がオンされていれば(ステップＣ１１)、カメラ電源を強制的にオフさせる(ステップＣ１２)。
【００５１】
以上のように、この第３実施例において、ＣＰＵ１０１は、撮影済み画像毎に過去に再生表示された再生済み画像か未再生画像かを特定し、未再生画像であれば、この未再生画像を今回のスライドショー対象画像として選択すると共に、この撮影済み画像をスライドショー形式で再生表示するようにしたから、ユーザに特別な操作を要求することなく、過去に未再生の画像を表示対象として自動決定してスライドショーを開始することができると共に、同一画像の重複再生を防止することができる。さらに、カメラ本体１を充電スタンドに接続した際に、カメラ画面１１にスライドショー形式で画像を再生表示するようにしたから電池の消耗を気にせず、充電スタンドをフォトスタンドのように利用しながらスライドショーを見ることができる。
【００５２】
なお、上述した第３実施例においては、撮影済み画像保存メモリ内に記録保存されている撮影済み画像に対応して、その画像が過去に１度でも個別再生あるいはスライドショー再生が行われた場合には、当該画像に対応して再生出力済みであることを示す再生済みフラグをセットするようにしたが、撮影済み画像を再生済み画像フォルダと未再生画像フォルダに分けて記憶管理するようにしてもよい。
また、上述した第３実施例においては、１枚の画像を再生する個別再生と複数の画像を切り換え表示するスライドショー再生とを分けて説明したが、個別再生をスライドショー再生の１態様としてもよい。
【００５３】
また、コンピュータが読み取り可能なプログラムコードを有する記録媒体であって、撮影済み画像毎に、過去に再生表示された再生済み画像か未再生画像かを特定する機能と、未再生画像であることが特定された場合に、この未再生画像を今回のスライドショー対象画像として選択する機能と、選択された撮影済み画像をスライドショー形式で再生表示する機能とを実現させるためのプログラムを記録したコンピュータが読み取り可能な記録媒体を提供するようにしてもよい。
（実施例４）
【００５４】
以下、この発明の第４実施例について図７および図８を参照して説明する。
なお、上述した第１実施例においては、現在日時を基準として表示対象となる画像範囲を自動決定してスライドショーを開始するようにしたが、この第４実施例においては、前回の電源オン期間内に撮影された画像を表示対象として自動決定してスライドショーを開始するようにしたものである。
ここで、第１、第４実施例において基本的あるいは名称的に同一のものは、同一符号を付して示し、その説明を省略すると共に、以下、第４実施例の特徴部分を中心に説明するものとする。
【００５５】
図７は、第４実施例における操作履歴テーブル１１１の内容を示した図である。
この操作履歴テーブル１１１は、主電源(撮影電源)のオン／オフ切り換え操作、撮影モード／再生モードの切り換え操作などの操作内容に対応してその操作日時を記憶管理するもので、この第４実施例においては、この操作履歴テーブル１１１を参照することによって前回、電源がオンされてからオフされるまでの期間を前回の電源オン期間として特定し、この電源オン期間内において撮影された複数の撮影済み画像を今回のスライドショーの表示対象として選択してスライドショー形式で再生表示するようにしたものである。
【００５６】
図８は、第４実施例において、カメラ本体１が充電スタンド２に接続された際に、充電スタンド２からの充電電流の供給に伴って実行開始されるカメラ本体１側の動作を示したフローチャートである。
先ず、充電スタンド２にカメラ本体１を接続すると、ＣＰＵ１０１は、上述した第１実施例と同様に、その接続状態に基づいてカメラ本体１の向きを判別し(ステップＤ１、Ｄ２)、「後ろ向き」であれば、ステップＤ１０に移り、カメラ電源がオンされていれば、カメラ電源を強制的にオフさせるが(ステップＤ１１)、カメラ本体１が「前向き」に接続されていれば、操作履歴テーブル１１１を検索して前回の電源オン期間を特定すると共に(ステップＤ３)、各撮影済み画像の撮影日時を参照して前回の電源オン期間内に含まれる画像を検索する(ステップＤ４)。
【００５７】
ここで、前回の電源オン期間内に含まれる画像が１つも無ければ(ステップＤ５でＮＯ)、再び操作履歴テーブル１１１を参照して前前回の電源オン期間を特定すると共に(ステップＤ６)、各撮影済み画像の撮影日時を参照して前前回の電源オン期間内に含まれる画像を検索する(ステップＤ４)。このようにして電源オン期間を１つずつ遡りながら上述の動作を繰り返すが、電源オン期間内に撮影された画像が有れば(ステップＤ５でＹＥＳ)、上述した第３実施例と同様に、検索された各画像をスライドショーの対象画像として特定すると共に(ステップＤ７)、この特定画像を順次切り換え表示させながらスライドショー再生を行う(ステップＤ８)。この場合、全画像を所定の時間間隔毎に全て切り換え表示するまでスライドショー再生が行われる (ステップＤ８、Ｄ９)。そして、スライドショーが終了すると(ステップＤ９でＹＥＳ)、カメラ電源がオンされていれば(ステップＤ１０)、カメラ電源を強制的にオフさせる(ステップＤ１１)。
【００５８】
以上のように、この第４実施例においてＣＰＵ１０１は、撮影済み画像がその撮影日時に対応付けて記憶管理されている状態において、主電源のオン、オフ操作に応じて過去の電源オン期間を特定すると共に、スライドショー開始時に、この電源オン期間内で撮影された複数の撮影済み画像を今回のスライドショーの表示対象として選択し、この撮影済み画像をスライドショー形式で再生表示するようにしたから、ユーザに特別な操作を要求することなく、過去の電源オン期間内に撮影された画像を表示対象として自動決定してスライドショーを開始することができると共に、前回の電源オン期間のように直前に撮影された各画像を確認することができる。さらに、カメラ本体１を充電スタンドに接続した際に、カメラ画面１１にスライドショー形式で画像を再生表示するようにしたから電池の消耗を気にせず、充電スタンドをフォトスタンドのように利用しながらスライドショーを見ることができる。
【００５９】
なお、上述した第４実施例においては、前回、電源がオンされてからオフされるまでの期間を前回の電源オン期間として特定するようにしたが、今回、電源をオンした後に、そのままの状態(電源オン状態)でカメラ本体１を充電スタンドに接続したような場合には、今回、電源をオンしてから現時点までの期間を電源オン期間として特定するようにしてもよい。また、１つの電源オン期間が極端に短い場合には、隣接する他の電源オン期間を合わせた期間を電源オン期間として特定するようにしてもよい。
【００６０】
また、コンピュータが読み取り可能なプログラムコードを有する記録媒体であって、撮影済み画像をその撮影日時に対応付けて記憶管理する機能と、主電源のオン、オフ操作に応じて電源オン期間を特定する機能と、スライドショー開始時に、前記特定手段によって特定された電源オン期間内で撮影された複数の撮影済み画像を今回のスライドショーの表示対象として選択する機能と、選択された撮影済み画像をスライドショー形式で再生表示する機能とを実現させるためのプログラムを記録したコンピュータが読み取り可能な記録媒体を提供するようにしてもよい。
【図面の簡単な説明】
【００６１】
【図１】デジタルカメラおよび充電スタンドの外観斜視図で、カメラ本体１が充電スタンド２に接続された際にその接続状態に基づいてカメラ画面１１が前向きの状態で接続されたか否かをチェックするために用いられるコネクタ部分を示した図。
【図２】デジタルカメラの基本的な構成要素を示したブロック図。
【図３】充電スタンド２の基本構成を示したブロック図。
【図４】カメラ本体１が充電スタンド２に接続された際に、充電スタンド２からの充電電流の供給に伴って実行開始されるカメラ本体１側の動作を示したフローチャート。
【図５】第２実施例において、カメラ本体１が充電スタンド２に接続された際に、充電スタンド２からの充電電流の供給に伴って実行開始されるカメラ本体１側の動作を示したフローチャート。
【図６】第３実施例において、カメラ本体１が充電スタンド２に接続された際に、充電スタンド２からの充電電流の供給に伴って実行開始されるカメラ本体１側の動作を示したフローチャート。
【図７】第４実施例における操作履歴テーブル１１１の内容を示した図。
【図８】第４実施例において、カメラ本体１が充電スタンド２に接続された際に、充電スタンド２からの充電電流の供給に伴って実行開始されるカメラ本体１側の動作を示したフローチャート。
【符号の説明】
【００６２】
１  カメラ本体
２  充電スタンド
１１  カメラ画面
１３、２１  充電用端子
１４  表裏検出用穴
１５  ダミー穴
２２  表裏検出用ピン
１０１  ＣＰＵ
１０２  記憶部
１０４  記録メディア
１０５  操作部
１０６  表示部
１０７  カメラ撮影部
１０９  二次電池
１１１  操作履歴テーブル
【図１】
2006054736.tif 000003
【図２】
2006054736.tif 000004
【図３】
2006054736.tif 000005
【図４】
2006054736.tif 000006
【図５】
2006054736.tif 000007
【図６】
2006054736.tif 000008
【図７】
2006054736.tif 000009
【図８】
2006054736.tif 000010